(57)【要約】      （修正有）【課題】リモコンに備えられたペアリング設定開始ボタンが、使用者によって意図せずに操作されないようにした無線通信システムを提供する。【解決手段】ペアリングを行うときは、リモコン２０の室内機のフード部１５ａへの挿入を開始する。リモコン２０の挿入を続けていくと、リモコン２０の上端がペアリング許可スイッチ１５ｂ１に接触するとともに、押下部１５ｃの導入部２５ａへの挿入が開始される。さらにリモコン２０をフード部１５ａに挿入していくと、リモコン２０の筐体２００の上端がペアリング許可スイッチ１５ｂ１を押し始める。その後、押下部１５ｃの先端がペアリング設定スイッチ２５ｂに接触して押し始め、リモコン２０の筐体２００の上端がフード部２５ａの上面に接触すれば、ペアリング許可スイッチ１５ｂ１およびペアリング設定スイッチ２５ｂが完全に押下されてオン状態となる。【選択図】図４
2014090310.tif 000002
【特許請求の範囲】
【請求項１】
電波によりデータを送受信する被制御装置と、電波によりデータを送受信するとともに前記被制御装置を制御するリモコンとを有する無線通信システムであって、
前記リモコンには、凹状に形成された導入部と、同導入部内に同導入部から突出しないように配置されるペアリング設定スイッチとが備えられ、
前記被制御装置には、前記ペアリング設定スイッチが操作できるよう凸状に形成された押下部が備えられ、
前記被制御装置と前記リモコンとが、互いのＩＤ、もしくは、共通のＩＤを認識するためのペアリングを行うとき、
前記被制御装置の前記押下部によって前記ペアリング設定スイッチが押下されることで、前記リモコンと前記被制御装置とは、前記互いのＩＤ、もしくは、前記共通のＩＤを相互に通信して記憶することでペアリングがなされることを特徴とする無線通信システム。
【請求項２】
前記被制御装置は、前記押下部に加えて、前記被制御装置をペアリング許可状態とするペアリング許可スイッチを備えることを特徴とする請求項１に記載の無線通信システム。
【請求項３】
前記リモコンは、前記ペアリング許可スイッチを押下するリモコン側押下部を備えることを特徴とする請求項２に記載の無線通信システム。
【請求項４】
前記押下部による前記ペアリング設定スイッチの押下が行われる前に、前記リモコン側押下部による前記ペアリング許可スイッチの押下が行われることを特徴とする請求項２または請求項３に記載の無線通信システム。
【請求項５】
前記被制御装置には、前記リモコンの筐体形状に対応して凹状に形成されたリモコン挿入部を備え、
前記押下部と前記ペアリング許可スイッチとが、前記リモコン挿入部に配置されていることを特徴とする請求項２乃至請求項４に記載の無線通信システム。
【発明の詳細な説明】
【技術分野】
【０００１】
本発明は、ＩＤ（Identifier Number）により識別される複数の無線送受信機を備えた無線通信システムに係わり、より詳細には、ＩＤを設定して交信相手を特定するペアリング機能に関する。
【背景技術】
【０００２】
従来、テレビや空気調和機等の電気機器では、これらを遠隔操作するリモコンにおいて赤外線を用いて信号の送受信を行うものに加えて、離れた位置に被制御装置（例えば、空気調和機であれば室内機）がある場合や家具等の遮蔽物が存在する場合でも確実に被制御装置を遠隔操作できるように電波を用いて信号の送受信を行うものが提案されている。
【０００３】
このような無線送受信機（被制御装置とリモコン）を備えた無線通信システムでは、赤外線を用いる場合に比べて通信範囲が広く、リモコンから送信した信号が室内に存在する他の被制御装置や他の部屋に設置された被制御装置にまで届いて、これらを意図せず操作してしまうという問題がある。このような問題を防ぐために、電気機器の使用前に一組のリモコンと被制御装置とをペアとして操作可能とする設定、所謂ペアリングが一般的に行われている。
【０００４】
例えば、特許文献１に記載の無線通信システムは、電源投入から所定時間ペアリング設定許可状態となる被制御装置と、ペアリング設定開始ボタンを備えたリモコンとからなり、被制御装置の電源投入から所定時間の間にリモコンのペアリング設定開始ボタンが操作されれば、互いのＩＤを送受信して記憶することでペアリング成立となるものである。
【先行技術文献】
【特許文献】
【０００５】
【特許文献１】特開２００９−４９５９０号公報（第８〜９頁、第３図、第４図）
【発明の概要】
【発明が解決しようとする課題】
【０００６】
特許文献１に記載の無線通信システムのように、リモコンにペアリング設定開始ボタンが備えられている場合は、使用者がペアリング設定が必要ないときに意図せずにペアリング設定開始ボタンを操作してしまう虞がある。
【０００７】
通常、リモコンは、ペアリング設定開始ボタンが操作されてリモコンから自己のＩＤを含んだ信号を送信した場合は、被制御装置から信号を受信した旨を含む信号が返信されるのを所定時間（例えば、３分間）待ち、この間はペアリング設定が完了しておらずリモコンによる被制御装置の制御が行えないため、使用者によるリモコンの操作を受け付けないようにしている。また、所定時間が経過しても被制御装置からの返信がないときは、リモコンはペアリング処理を中止（エラー処理）し使用者によるリモコン操作の受付を再開する。従って、被制御装置側がペアリング設定許可状態となっていないときにリモコン側でのみペアリング設定開始ボタンが操作された場合は、被制御装置から信号を受信した旨を含む信号が返信されないため、上記所定時間が経過するまで使用者がリモコン操作を行えず、使用者の不便となる問題があった。
【０００８】
本発明は以上述べた問題点を解決し、リモコンに備えられたペアリング設定開始ボタンが、使用者によって誤ってもしくは意図せずに操作されないようにした無線通信システムを提供することを目的とする。
【課題を解決するための手段】
【０００９】
本発明は上述の課題を解決するものであって、本発明の無線通信システムは、電波によりデータを送受信する被制御装置と、電波によりデータを送受信するとともに被制御装置を制御するリモコンとを有するものであって、リモコンには、凹状に形成された導入部と、この導入部内に導入部から突出しないように配置されるペアリング設定スイッチとが備えられ、被制御装置には、ペアリング設定スイッチが操作できるよう凸状に形成された押下部が備えられているものである。そして、被制御装置とリモコンとが、互いのＩＤ、もしくは、共通のＩＤを認識するためのペアリングを行うとき、被制御装置の押下部によってペアリング設定スイッチが押下されることで、リモコンと被制御装置とは、互いのＩＤ、もしくは、共通のＩＤを相互に通信して記憶することでペアリングがなされるものである。
【発明の効果】
【００１０】
本発明の無線通信システムは、リモコンに備えられるペアリング設定スイッチが導入部内に設けられ、かつ、導入部から突出しないように配置されており、リモコンと被制御装置とのペアリングを行うときは、被制御装置に備えられた凸形状の押下部によってペアリング設定スイッチが押下されるようになっている。従って、使用者が、ペアリングが必要ないときに意図せずにペアリング設定スイッチを押下することがなく、リモコンのペアリング設定スイッチのみが押下されてリモコンがペアリング設定状態となっている間はリモコンの作ができない、といった使用者の不便を解消することができる。
【図面の簡単な説明】
【００１１】
【図１】本発明の実施形態における被制御装置である室内機の説明図であり、（Ａ）は室内機の外観斜視図、（Ｂ）はリモコン挿入部の詳細図である。
【図２】本発明の実施形態におけるリモコンの説明図であり、（Ａ）はリモコンの正面図、（Ｂ）は開閉蓋を開けた状態でのリモコンの正面図、（Ｃ）はリモコンの上面図である。
【図３】本発明の実施形態におけるブロック図であり、（Ａ）は室内機のブロック図、（Ｂ）はリモコンのブロック図である。
【図４】ペアリングを行うときの作業を説明する図面であり、（Ａ）はリモコン挿入初期の状態図、（Ｂ）はリモコン挿入途中の状態図、（Ｃ）はリモコン挿入完了の状態図である。
【図５】ペアリング実行時に室内機とリモコンとの間で行われる通信説明図である。
【図６】ペアリングを行うときの制御の処理手順を示すフローチャートであり、（Ａ）は室内機での処理手順を、（Ｂ）はリモコンでの処理手順をそれぞれ示している。
【発明を実施するための形態】
【００１２】
以下、本発明の実施の形態を、添付図面に基づいて詳細に説明する。実施形態としては、空気調和機の室内機（被制御装置）と、この室内機を制御するリモコンとを例に挙げ、これら室内機とリモコンとの間で互いのＩＤをやり取りしてペアリングを行う場合を説明する。尚、本発明は以下の実施形態に限定されることはなく、本発明の主旨を逸脱しない範囲で種々変形することが可能である。
【実施例】
【００１３】
図１は、本実施形態における被制御装置である室内機１の説明図である。図１（Ａ）に示すように、室内機１は横長の略直方体形状を有しており、室内機本体１００の前面には、樹脂材を用いて略四方形状に形成され室内機本体１００の前部を覆うように配置される前面パネル１１０が設けられている。また、前面パネル１１０の前方には、樹脂材を用いて略四方形状に形成され前面パネル１１０の一部を覆うように配置されて室内機１の意匠面を形成する開閉パネル１２０が設けられている。
【００１４】
室内機本体１００の前面下部には、吹出口１３０が設けられている。また、吹出口１３０には、吹出口１３０から吹き出される空気を上下方向に偏向する上下風向板１４０が設けられている。室内機１は、図示しない吸込口から室内空気を吸い込み、図示しない熱交換器で冷媒と空気との熱交換を行った後、吹出口１３０から熱交換した空気を室内に吹き出す。
【００１５】
前面パネル１１０の下方で吹出口１３０の側部には、室内機表示部１２と、室内機操作部１３とが設けられている。室内機表示部１２は、ＬＥＤ等の光源で形成されており、室内機１の運転／停止やタイマー運転予約の有無等、室内機１の動作状態を使用者に示す。室内機操作部１３は、後述するリモコン２０による室内機１の制御が、例えば電池切れやリモコン２０の故障等によって不可能となった場合に、室内機１の最低限の制御（例えば、運転／停止）が行えるように設けられている。
【００１６】
室内機表示部１２や室内機操作部１３が設けられている前面パネル１１０の内側（室内機本体１００内部）には、室内機通信部１６が格納されている。室内機通信部１６は、後述するリモコン２０との間で、電波の送受信を行う。
【００１７】
室内機本体１００の底部における、室内機表示部１２や室内機操作部１３が設けられている箇所の後方には、リモコン挿入部１５が設けられている。図１（Ｂ）に示すように、リモコン挿入部１５は、後述するリモコン２０の筐体形状に対応して室外機本体１００の底部から上方内部に向かって凹状に形成されたフード部１５ａと、フード部１５ａの上面における室内機本体１００の横長方向の一端側に配置された許可スイッチ部１５ｂと、フード部１５ａの上面における室内機本体１００の横長方向の他端側に配置され、下方に突出するように形成されている断面略円形の押下部１５ｃとで構成されている。
【００１８】
許可スイッチ部１５ｂは、ペアリング許可スイッチ１５ｂ１と、ペアリング許可スイッチ１５ｂ１を収容する収容部１５ｂ４と、収容部１５ｂ４内を上下方向に摺動可能に設けられている押下ボタン１５ｂ２と、ペアリング許可スイッチ１５ｂ１と押下ボタン１５ｂ２との間に介在し押下ボタン１５ｂ２を下方向に付勢するバネ部１５ｂ３とで構成されている。バネ部１５ｂ３の付勢力に打ち勝つように押下ボタン１５ｂ２を上方向に押下することで押下ボタン１５ｂ２の上面によりペアリング許可スイッチ１５ｂ１が押下されるようになっている。
【００１９】
図２は、本実施形態におけるリモコン２０の説明図である。図２（Ａ）に示すように、リモコン２０は、樹脂材で略直方体形状の箱体に形成された筐体２００を有し、筐体２００の前面には、上端側にリモコン表示部２２が、下端側に開閉蓋２１０がそれぞれ設けられている。開閉蓋２１０は、図２（Ｂ）に示すように、筐体２００の下端に軸支され、ここを支点として回動することによって開閉することができる。
【００２０】
図２（Ａ）および（Ｂ）に示すように、リモコン表示部２２は、液晶ディスプレイ等の表示手段で構成されており、空調運転時の目標室温となる設定温度、冷房／暖房／除湿等といった空調モード、室内機１の吹出口１３０から吹き出される空調空気の吹き出し強度や上下風向板１４０の角度、室内機１の運転／停止、等の各種設定数値や現在の室内機１の制御状態を表示する。
【００２１】
図２（Ｂ）に示すように、開閉蓋２１０を開いた筐体２００にはリモコン操作部２３が配置されている。リモコン操作部２３は、設定温度を決定する温度設定ボタン、空調モードを決定する運転モード設定ボタン、吹出口１３０から吹き出される空調空気の吹き出し強度や上下風向板１４０の角度を決定する風量・風向設定ボタン、室内機１の運転開始／停止を指示する運転ボタン、タイマー運転／停止を指示やその時間を設定するタイマー設定ボタン、等の室内機１の制御に関わる複数のボタンから構成されている。
【００２２】
図２（Ａ）および（Ｂ）に破線で示すように、筐体２００の長手方向の一端（上端）の内側（筐体２００内部）には、リモコン通信部２６が格納されている。リモコン通信部２６は、室内機１との間で、電波の送受信を行う。
【００２３】
図２（Ｃ）に示すように、筐体２００の上端には、設定スイッチ部２５が設けられている。設定スイッチ部２５は、図２（Ａ）に示すように、室内機１の押下部１５ｃの形状に対応して筐体２００の上端から下方内部に向かって凹状に形成された導入部２５ａと、導入部２５ａ内に収容されているペアリング設定スイッチ２５ｂと、導入部２５ａ内を上下方向に摺動可能に設けられている押下ボタン２５ｃと、ペアリング設定スイッチ２５ｂと押下ボタン２５ｃとの間に介在し押下ボタン２５ｃを上方向に付勢するバネ部２５ｄとで構成されている。
【００２４】
バネ部２５ｄの寸法および形状は、押下ボタン２５ｃが筐体２００の上端から突出しないように定められている。また、バネ部２５ｄの付勢力に打ち勝つように押下ボタン２５ｃを下方向に押下することで押下ボタン２５ｃの下面によりペアリング設定スイッチ２５ｂが押下されるようになっている。
【００２５】
次に、図３を用いて室内機１およびリモコン２０の制御ブロックについて説明する。図３（Ａ）に示すのは、室内機１の要部ブロック図である。室内機１は、前述した室内機表示部１２と、室内機操作部１３と、ペアリング許可スイッチ１５ｂ１と、室内機通信部１６とに加えて、自己のＩＤやリモコン２０のＩＤや室内機１の制御プログラム等を記憶する室内機記憶部１４と、これら全体を制御する室内機制御部１１とを備えている。また、室内機通信部１６には、アンテナ１７が接続されている。
【００２６】
室内機制御部１１は、使用者の室内機操作部１３の操作によって指示される制御内容や、室内機通信部１６を介して取り込んだリモコン２０から送信された信号に含まれる制御内容に基づいて、室内機記憶部１４へのアクセス、室内機表示部１２での表示内容の指示、および、室内機１の上下風向板１４０の動作等、室内機１の空調運転制御を行う。
【００２７】
尚、前述したように、室内機通信部１６はリモコン２０との間で電波の送受信を行うが、より詳細には、室内機通信部１６は室内機制御部１１で生成された送信データを室内機通信部１６を介してアンテナ１７から所定の周波数の電波でリモコン２０に送信するとともに、リモコン２０から送信される所定周波数の電波をアンテナ１７で受信し、これを室内機通信部１６で復調した受信データが室内機制御部１１に入力される。
【００２８】
また、室内機記憶部１４には、リモコン２０のＩＤが格納されているが、このＩＤは、室内機１の製造時点では格納されておらず、後述するペアリングを行うときに、リモコン２０から送信されるＩＤを取り込んで格納する。
【００２９】
一方、図３（Ｂ）に示すのは、リモコン２０の要部ブロック図である。リモコン２０は、前述したリモコン表示部２２と、リモコン操作部２３と、ペアリング設定スイッチ２５ｂと、リモコン通信部２６とに加えて、自己のＩＤや室内機１のＩＤやリモコン２０の制御プログラム等を記憶するリモコン記憶部２４と、これら全体を制御するリモコン制御部２１とを備えている。また、リモコン通信部２６には、アンテナ２７が接続されている。
【００３０】
リモコン制御部２１は、使用者によるリモコン操作部２３の操作の受付、リモコン記憶部２４へのアクセス、リモコン表示部２２での表示内容の指示、および、リモコン通信部２６を介して室内機１への制御内容を含んだ信号送信等、リモコン２０の制御を行う。
【００３１】
尚、前述したように、リモコン通信部２６は室内機１との間で電波の送受信を行うが、より詳細には、リモコン通信部２６はリモコン制御部２１で生成された送信データをリモコン通信部２６を介してアンテナ２７から所定の周波数の電波で室内機１に送信するとともに、室内機１から送信される所定周波数の電波をアンテナ２７で受信し、これをリモコン通信部２６で復調した受信データがリモコン制御部２１に入力される。
【００３２】
また、リモコン記憶部２４には、室内機のＩＤが格納されているが、このＩＤは、リモコン２０の製造時点では格納されておらず、後述するペアリングを行うときに、室内機１から送信されるＩＤを取り込んで格納する。
【００３３】
次に、図４および図５を用いて、室内機１とリモコン２０とがペアリングを行うときの、室内機１およびリモコン２０の操作方法や、ペアリングの際の室内機１とリモコン２０とで行われる通信の流れについて説明する。尚、本実施形態では、ペアリング許可スイッチ１５ｂ１と押下ボタン１５ｂ２（の上面）との距離と、ペアリング設定スイッチ２５ｂと押下ボタン２５ｃ（の下面）との距離とが同じとされている。
【００３４】
図４は、室内機１とリモコン２０とのペアリングを行うときの作業を説明する図である。最初に使用者は、図４（Ａ）に示すように、リモコン２０を室内機１に備えられたリモコン挿入部１５のフード部１５ａに挿入を開始する。尚、前述したように、フード部１５ａはリモコン２０の筐体２００の形状に対応した形状とされているので、リモコン２０をフード部１５ａに挿入する際は、ガタつくことなくスムーズに挿入できる。
【００３５】
使用者がリモコン２０の挿入を続けていくと、図４（Ｂ）に示すように、リモコン２０の筐体２００の上面が押下ボタン１５ｂ２に接触するとともに、押下部１５ｃの導入部２５ａへの挿入が開始される。尚、押下ボタン１５ｂ２に接触する筐体２００の上面が、本発明のリモコン側押下部である。このとき、上述したように、フード部１５ａはリモコン２０の筐体２００の形状に対応した形状とされているので、押下部１５ｃの導入部２５ａへの挿入もスムーズに行われる。
【００３６】
使用者が図４（Ｂ）に示す状態からさらにリモコン２０をフード部１５ａに挿入していくと、リモコン２０の筐体２００の上面が押下ボタン１５ｂ２を上方へ押し始める。その後、押下部１５ｃの下面が押下ボタン２５ｃに接触して下方へ押し始め、図４（Ｃ）に示すように、リモコン２０の筐体２００の上面がフード部２５ａの上面に接触すれば、押下ボタン１５ｂ２がペアリング許可スイッチ１５ｂ１を押下するとともに、押下ボタン２５ｃがペアリング設定スイッチ２５ｂを押下して両スイッチ共にオン状態となる。
【００３７】
上述したように、押下ボタン２５ｃに比べて押下ボタン１５ｂ２の方が先に押下され始めるので、押下ボタン２５ｃの下面がペアリング設定スイッチ２５ｂに到達してペアリング設定スイッチ２５ｂを押下するのに比べて、押下ボタン１５ｂ２の上面がペアリング許可スイッチ１５ｂ１に到達してペアリング許可スイッチ１５ｂ１を押下するのが早くなる。従って、ペアリング設定スイッチ２５ｂに比べてペアリング許可スイッチ１５ｂ１の方がオンとなるタイミングが早い。尚、図４（Ｃ）では、各スイッチが押下されている状態をわかりやすくするために、バネ部１５ｂ３およびバネ部２５ｄの描画を省略している。また、図示は省略しているが、ペアリング設定スイッチ２５ｂと比べて、ペアリング許可スイッチ１５ｂ１の方がスイッチのストロークが長く、ペアリング許可スイッチ１５ｂ１が押下ボタン１５ｂ２によってオンとなった後も更にペアリング許可スイッチ１５ｂ１は上方へ押下できるようになっている。
【００３８】
以上説明したペアリング作業を行っているときの、室内機１とリモコン２０とで行われる通信の流れは、図５に示すようになる。尚、図５では、左側の縦線がリモコン２０側の処理の流れを示し、右側の縦線が室内機１側の処理の流れを示している。各縦線において、上から下方向が時間の流れを示しており、左右への矢印が電波による信号の送信と送信方向とを示している。
【００３９】
前述したように、ペアリングを行うときは室内機１のペアリング許可スイッチ１５ｂ１が先にオンとなり、ペアリング許可スイッチ１５ｂ１がオンされれば室内機１がペアリング準備を開始する。具体的には、室内機制御部１１が、室内機通信部１６を介してリモコン２０から送信される信号を受信し、この信号に含まれる情報を室内機記憶部１４に格納するための処理を開始する。尚、ペアリング許可スイッチ１５ｂ１がオンされてから所定時間経過するまでに、リモコン２０から送信される後述するＩＤ設定信号を受信しない場合は、室内機１はペアリング処理から抜ける（エラー処理）。
【００４０】
次に、リモコン２０のペアリング設定スイッチ２５ｂがオンとなると、リモコン２０は室内機１にＩＤ設定信号を送信する。具体的には、リモコン制御部２１は、自己のＩＤをリモコン記憶部２４から読み出しこれをリモコン通信部２６に出力する。ＩＤが入力されたリモコン通信部２６は、このＩＤを含んだＩＤ設定信号を所定の周波数の電波で室内機１に送信する。尚、ＩＤ設定信号を送信してから所定時間経過するまでに、室内機１から送信される後述する室内機ＩＤ信号を受信しない場合は、リモコン２０はペアリング処理から抜ける（エラー処理）。
【００４１】
リモコン２０のペアリング設定スイッチ２５ｂに比べて、室内機１のペアリング許可スイッチ１５ｂ１が先にオンとなることで、リモコン２０からＩＤ設定信号が送信される前に室内機１側でＩＤ設定信号の受信準備が整うので、ペアリング処理がスムーズに行われる。
【００４２】
リモコン２０から送信されたＩＤ設定信号を受信した室内機１の室内機通信部１６は、ＩＤ設定信号を復調して受信データとし室内機制御部１１に出力する。受信データが入力された室内機制御部１１は、受信データに含まれるリモコン２０のＩＤを室内機記憶部１４に記憶するとともに、自己のＩＤを室内機記憶部１１から読み出しこれを室内機通信部１６に出力する。ＩＤが入力された室内機通信部１１は、このＩＤを含んだ室内機ＩＤ信号を所定の周波数の電波でリモコン２０に送信する。
【００４３】
室内機１から送信された室内機ＩＤ信号を受信したリモコン２０のリモコン通信部２６は、室内機ＩＤ信号を復調して受信データとしリモコン制御部２１に出力する。受信データを入力したリモコン制御部２１は、受信データに含まれる室内機１のＩＤをリモコン記憶部２４に記憶する。
【００４４】
以上説明した操作および信号の送受信によって、室内機１とリモコン２０とが互いのＩＤを記憶してペアリングが完了する。この後は、図５に示すように、使用者によるリモコン操作部２３の操作に対応した制御情報がリモコン２０のＩＤとともにリモコン制御部２１からリモコン通信部２６に出力され、リモコン通信部２６がこれに対応した通常制御信号を生成して室内機１に送信する。この通常制御信号を受信した室内機１（の室内機制御部１１）は、受信した通常制御信号にペアリングを行ったリモコン２０のＩＤが存在することを確認し、通常制御信号に含まれる制御情報に基づいて室内機１の制御を実行する。
【００４５】
以上説明したように、リモコン２０に備えられるペアリング設定スイッチ２５ｂは、設定スイッチ部２５の導入部２５ａ内に配置されているので、使用者の意図しない操作によって押下されることがなく、リモコン２０のペアリング設定スイッチ２５ｂのみが押下されてリモコン２０がペアリング設定状態となっている間はリモコン２０の操作ができない、といった使用者の不便を解消することができる。
【００４６】
また、室内機１とリモコン２０とをペアリングする際は、室内機１のリモコン挿入部１５にリモコン２０を挿入することによって、室内機１のペアリング許可スイッチ１５ｂ１やリモコン２０のペアリング設定スイッチ２５ｂがほぼ同時に押下されるので、使用者が望む室内機１とリモコン２０とのペアリングが確実に行える。
【００４７】
尚、以上説明した実施形態では、ペアリング許可スイッチ１５ｂ１がペアリング設定スイッチ２５ｂよりも早くオンとなるように、両スイッチや押下部１５ｃの形状、配置が決められている場合について説明したが、ペアリング許可スイッチ１５ｂ１とペアリング設定スイッチ２５ｂとが同時にオンとなるようにしてもよく、ペアリング設定スイッチ２５ｂがペアリング許可スイッチ１５ｂ１よりも早くオンとなるようにしてもよい。但し、これらの場合は、本実施形態（ペアリング許可スイッチ１５ｂ１がペアリング設定スイッチ２５ｂよりも早くオンとなる場合）に比べて、ペアリング許可スイッチ１５ｂ１がオンされてから、ＩＤ設定信号をリモコン２０から室内機１に送信するまでの待ち時間が必要となる。
【００４８】
また、室内機１においては、ペアリング許可スイッチ１５ｂ１や押下部１５ｃがリモコン挿入部１５のフード部１５ａ内に配置されている場合について説明したが、フード部１５ａを設けずに、室内機１の室内機本体１００表面にペアリング許可スイッチ１５ｂ１や押下部１５ｃが設けられていてもよい。但し、室内機本体１００表面にペアリング許可スイッチ１５ｂ１や押下部１５ｃを設けた場合は、本実施形態（リモコン挿入部１５を設ける場合）に比べて、押下部１５ｃを導入部２５ａに挿入する作業が困難となる。
【００４９】
また、室内機１とリモコン２０とが、互いのＩＤを記憶することでペアリングを行う場合について説明したが、いずれか一方のＩＤを共通ＩＤとしこの共通ＩＤを室内機１とリモコン２０とが記憶することでペアリングを行うようにしてもよい。このようにすれば、室内機１あるいはリモコン２０のうちいずれか一方が複数存在する場合に、数量が少ない方のＩＤを共通ＩＤとしてペアリングを行えば、１台のリモコン２０で複数台の室内機１を制御できる、あるいは、１台の室内機１を複数のリモコン２０で制御できる。
【００５０】
次に、図６に示すフローチャートを用いて、本実施形態の無線通信システムにおいて、室内機制御部１１およびリモコン制御部２１が各々実行する本発明に関わる処理について説明する。図６に示すフローチャートのうち、（Ａ）は室内機制御部１１がペアリングを行う際の処理の流れを示すものであり、（Ｂ）はリモコン制御部２１がペアリングを行う際の処理の流れを示すものである。いずれのフローチャートにおいても、ＳＴは処理のステップを表しこれに続く数字はステップ番号を表している。
【００５１】
まず、図６（Ａ）を用いて、室内機制御部１１がペアリングを行う際の処理の流れについて説明する。室内機１に電源が投入されると、室内機制御部１１は、ペアリング許可スイッチ１５ｂ１がオンとされたか否かを判断する（ＳＴ１）。ペアリング許可スイッチ１５ｂ１がオンとされていなければ（ＳＴ１−Ｎｏ）、室内機制御部１１は、リモコン２０から送信された通常制御信号を室内機通信部１６を介して受信したか否かを判断する（ＳＴ６）。
【００５２】
通常制御信号を受信していなければ（ＳＴ６−Ｎｏ）、室内機制御部１１は、ＳＴ１に処理を戻す。通常制御信号を受信していれば（ＳＴ６−Ｙｅｓ）、室内機制御部１１は、室内機１の通常制御、すなわち、リモコン２０から送信された通常制御信号を受信しこれに含まれる制御情報に従って、空調制御（通常制御）を実行する（ＳＴ７）。そして、室内機制御部１１は、ＳＴ１に処理を戻す。
【００５３】
ＳＴ１において、ペアリング許可スイッチ１５ｂ１がオンとされていれば（ＳＴ１−Ｙｅｓ）、室内機制御部１１は、リモコン２０から送信されたＩＤ設定信号を室内機通信部１６を介して受信したか否かを判断する（ＳＴ２）。ＩＤ設定信号を受信していなければ（ＳＴ２−Ｎｏ）、室内機制御部１１は、ペアリング許可スイッチ１５ｂ１がオンされてから所定時間が経過したか否かを判断する（ＳＴ８）。所定時間が経過していなければ（ＳＴ８−Ｎｏ）、室内機制御部１１はＳＴ２に処理を戻し、所定時間が経過していれば（ＳＴ８−Ｙｅｓ）、室内機制御部１１は、エラー処理を実行し（ＳＴ９）、ＳＴ１に処理を戻す。
【００５４】
ＩＤ設定信号を受信していれば（ＳＴ２−Ｙｅｓ）、室内機制御部１１は、受信したＩＤ設定信号に含まれているリモコン２０のＩＤを室内機記憶部１４に記憶する（ＳＴ３）。そして、室内機制御部１１は、室内機記憶部１４から自己のＩＤを読み出して室内機通信部１６に出力し、室内機通信部１６は室内機ＩＤ信号をリモコン２０に送信する（ＳＴ４）。そして、室内機制御部１１は、ペアリング設定を終了し（ＳＴ５）、ＳＴ１に処理を戻す。
【００５５】
次に、図６（Ｂ）を用いて、リモコン制御部２１がペアリングを行う際の処理の流れについて説明する。まず、リモコン制御部２１は、ペアリング設定スイッチ２５ｂがオンとされたか否かを判断する（ＳＴ１１）。ペアリング設定スイッチ２５ｂがオンとされていなければ（ＳＴ１１−Ｎｏ）、リモコン制御部２１は、リモコン２０の通常制御、すなわち、使用者によるリモコン操作部２３の操作に対応した通常制御信号を生成してリモコン通信部２６を介して室内機１に送信する（ＳＴ１６）。そして、リモコン制御部２１は、ＳＴ１１に処理を戻す。
【００５６】
ペアリング設定スイッチ２５ｂがオンとされていれば（ＳＴ１１−Ｙｅｓ）、リモコン制御部２１は、リモコン記憶部２４から自己のＩＤを読み出してリモコン通信部２６に出力し、リモコン通信部２６はＩＤ設定信号を室内機１に送信する（ＳＴ１２）。
【００５７】
次に、リモコン制御部２１は、室内機１から送信された室内機ＩＤ信号をリモコン通信部２６を介して受信したか否かを判断する（ＳＴ１３）。室内機ＩＤ信号を受信していなければ（ＳＴ１３−Ｎｏ）、リモコン制御部２１は、ＩＤ設定信号を送信してから所定時間が経過したか否かを判断する（ＳＴ１７）。所定時間が経過していなければ（ＳＴ１７−Ｎｏ）、リモコン制御部２１はＳＴ１３に処理を戻し、所定時間が経過していれば（ＳＴ１７−Ｙｅｓ）、リモコン制御部２１はエラー処理を実行し（ＳＴ１８）、ＳＴ１１に処理を戻す。
【００５８】
室内機ＩＤ信号を受信していれば（ＳＴ１３−Ｙｅｓ）、リモコン制御部２１は、受信した室内機ＩＤ信号に含まれている室内機１のＩＤを室内機記憶部２４に記憶する（ＳＴ１４）。そして、リモコン制御部２１は、ペアリング設定を終了し（ＳＴ１５）、ＳＴ１１に処理を戻す。
【００５９】
以上説明した通り、本発明の無線通信システムは、リモコンに備えられるペアリング設定スイッチが導入部内に設けられ、かつ、導入部から突出しないように配置されており、リモコンと被制御装置とのペアリングを行うときは、被制御装置に備えられた凸形状の押下部によってペアリング設定スイッチが押下されるようになっている。従って、使用者が、ペアリングが必要ないときに意図せずにペアリング設定スイッチを押下することがなく、リモコンのペアリング設定スイッチのみが押下されてリモコンがペアリング設定状態となっている間はリモコンの操作ができない、といった使用者の不便を解消することができる。
【符号の説明】
【００６０】
１  室内機
１１  室内機制御部
１４  室内機記憶部
１５  リモコン挿入部
１５ａ  フード部
１５ｂ  許可スイッチ部
１５ｂ１  ペアリング許可スイッチ
１５ｂ２  押下ボタン
１５ｂ３  バネ部
１５ｂ４  収容部
１５ｃ  押下部
１６  室内機通信部
２０  リモコン
２１  リモコン制御部
２４  リモコン記憶部
２５  設定スイッチ部
２５ａ  導入部
２５ｂ  ペアリング設定スイッチ
２５ｃ  押下ボタン
２５ｄ  バネ部
２６  リモコン通信部
１００  室内機本体
２００  筐体
【図１】
2014090310.tif 000003
【図２】
2014090310.tif 000004
【図３】
2014090310.tif 000005
【図４】
2014090310.tif 000006
【図５】
2014090310.tif 000007
【図６】
2014090310.tif 000008